【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
互いに直交する３つの空間軸をＸ軸，Ｙ軸，Ｚ軸とするとき、
前記Ｚ軸方向において対向する２つの面であって、−Ｚ軸方向側に位置する第１面及び＋Ｚ軸方向側に位置する第２面と、
前記Ｘ軸方向において対向する２つの面であって、＋Ｘ軸方向側に位置する第３面及び−Ｘ軸方向側に位置する第４面と、
前記Ｙ軸方向において対向する２つの面であって、−Ｙ軸方向側に位置する第５面及び＋Ｙ軸方向側に位置する第６面と、
前記第１面と第３面とを繋ぐカートリッジ側コーナー部と、
前記第１面に設けられ、印刷材を前記印刷装置に供給するための印刷材供給口と、
前記第３面に設けられ、前記Ｙ軸に沿って延びる第１の部分と、前記第１の部分から前記＋Ｚ軸方向に延びる第２の部分と、を備えた第１のカートリッジ側規制部と、
前記カートリッジ側コーナー部の一部を構成し、前記＋Ｘ軸方向と前記−Ｚ軸方向の成分を含む方向を向いて傾斜する傾斜面と、
前記傾斜面に設けられ、複数の端子を有するカートリッジ側端子群と、
を備えるカートリッジを、着脱可能に装着する印刷装置であって、
前記カートリッジが装着された装着状態において、前記印刷装置に対する前記Ｘ軸、前記Ｙ軸および前記Ｚ軸を、それぞれ前記印刷装置のＸ軸、Ｙ軸、Ｚ軸とするとき、
（ｉ）前記装着状態において前記第１面と対向する装置側底壁部と、（ｉｉ）前記装着状態において前記第３面と対向する第１の装置側側壁部と、（ｉｉｉ）前記装着状態において前記第４面と対向する第２の装置側側壁部と、を備えるカートリッジ装着部と、
前記装置側底壁部に設けられた基端部と、前記印刷材供給口に接続される先端部とを有し、前記Ｚ軸と平行な中心軸を有する印刷材供給管と、
前記装置側底壁部と前記第１の装置側側壁部とが交差する装置側コーナー部に設けられ、前記装着状態において、前記カートリッジ側端子群の各端子に接触する複数の装置側端子を有し、前記装着状態において、前記カートリッジに対して前記＋Ｚ軸方向成分を有する方向に力を作用させる装置側端子群と、
前記第１の装置側側壁部に回動可能に設けられ、前記カートリッジの着脱に利用されるレバーと、を備え、
前記レバーは、
前記＋Ｚ軸方向側の端部に位置し、利用者によって外力が加えられるための操作部と、
前記−Ｚ軸方向側の端部に位置する第１の装置側係止部と、
前記＋Ｚ軸方向側の端部から前記−Ｚ軸方向側の端部に亘って形成され、前記カートリッジを前記カートリッジ装着部に装着する際に前記カートリッジの前記Ｘ軸方向及び前記Ｙ軸方向の動きを制限して、前記第１のカートリッジ側規制部を前記第１の装置側係止部まで導く案内部と、
前記案内部に前記−Ｚ軸方向側の端部に亘って形成され、前記カートリッジを装着する際に前記第２の部分を受け入れるための溝部と、を有し、
前記第１の装置側係止部は、前記装着状態において、前記カートリッジの前記第１のカートリッジ側規制部を係止することで前記カートリッジの前記＋Ｚ軸方向への動きを規制し、
前記レバーは、さらに、前記操作部と前記第１の装置側係止部との間の位置に回転軸を有し、前記回転軸は、前記装着状態において、前記第１の装置側係止部が前記第１のカートリッジ側規制部の前記第１の部分を係止する所定の係止位置よりも前記＋Ｚ軸方向側かつ前記＋Ｘ軸方向側に位置し、
前記レバーは、前記操作部に対し前記＋Ｘ軸方向側から前記−Ｘ軸方向側へ向かう外力が加えられることで、前記回転軸を中心として前記第１の装置側係止部を前記所定の係止位置から前記＋Ｘ軸方向側に移動させ前記第１のカートリッジ側規制部の前記第１の部分との係止を外し、前記カートリッジの動きの規制を解除する、印刷装置。
【請求項２】
請求項１に記載の印刷装置であって、
前記レバーは、さらに、前記−Ｚ軸方向側の端部に第２の装置側係止部を有し、
前記第２の装置側係止部は、前記装着状態において、前記第１のカートリッジ側規制部の前記第１の部分の前記第１の装置側係止部によって係止される第１当接部とは異なる第２当接部を係止することで、前記カートリッジの前記＋Ｘ軸方向への動きを規制する、印刷装置。
【請求項３】
請求項１又は請求項２に記載の印刷装置であって、
前記第１の装置側係止部の、前記Ｘ軸と前記Ｚ軸に平行な断面の形状は、前記回転軸を中心とした円弧である、印刷装置。
【請求項４】
請求項３に記載の印刷装置であって、
前記Ｘ軸方向について、
前記回転軸は、前記所定の係止位置に近接した位置にある、印刷装置。
【請求項５】
請求項１乃至請求項４のいずれか一項に記載の印刷装置であって、
前記案内部は、前記Ｙ軸方向に沿って形成された案内底壁面と、前記案内底壁面から前記−Ｘ軸方向に立設され前記Ｙ軸方向において対向する一対の案内壁部と、を有し、
前記案内底壁面及び案内壁部は、前記操作部の配置位置から前記第１の装置側係止部の配置位置に亘って延びており、
前記一対の案内壁部の間隔は、前記装着状態における前記カートリッジの前記Ｙ軸方向の長さよりも小さく、かつ、前記装着状態における前記第１のカートリッジ側規制部の前記Ｙ軸方向の長さよりも大きい、印刷装置。
【請求項６】
請求項５に記載の印刷装置であって、
前記一対の案内壁部のうちの一方は、前記案内底壁面のうちの前記−Ｙ軸方向側の端部に設けられ、
前記一対の案内壁部のうちの他方は、前記案内底壁面のうちの前記＋Ｙ軸方向側の端部に設けられ、
前記案内部は、前記案内底壁面と前記一対の案内壁部により、前記第１のカートリッジ側規制部を受け入れる凹部を形成する、印刷装置。
【請求項７】
請求項１乃至請求項６のいずれか一項に記載の印刷装置であって、
前記レバーの操作部は、前記第１の装置側係止部による前記カートリッジの動きの規制を解除する際に、前記操作部に前記外力が加えられる操作面と、前記カートリッジの前記第３面の前記第１のカートリッジ側規制部よりも前記＋Ｚ軸方向側に設けられた突出部と接触する操作部対向面と、を有し、
前記操作部対向面は、前記カートリッジの動きの規制を解除する際に、前記突出部と接触することによって、前記カートリッジに前記＋Ｚ軸方向成分を含む方向への力を加える、印刷装置。
【請求項８】
請求項７に記載の印刷装置であって、
前記装着状態において、前記操作部対向面は、前記−Ｘ軸方向及び前記＋Ｚ軸方向の成分を有する方向を向いて傾斜している、印刷装置。
【請求項９】
請求項１乃至請求項８のいずれか一項に記載の印刷装置であって、さらに、
弾性変形可能な弾性部材を有し、
前記弾性部材は、少なくとも、前記カートリッジを前記カートリッジ装着部に装着する装着動作時において、前記レバーのうち前記回転軸よりも前記−Ｚ軸方向側に位置する部分に対し、前記−Ｘ軸方向成分を有する外力を加える、印刷装置。
【請求項１０】
請求項９に記載の印刷装置であって、
前記弾性部材は、前記装着状態において、前記レバーのうち前記回転軸よりも前記−Ｚ軸方向側に位置する部分に対し、前記外力を加える、印刷装置。
【請求項１１】
請求項９に記載の印刷装置であって、さらに、
前記弾性部材は、前記装着状態において、前記レバーに対し前記外力を加えない状態となる、印刷装置。
【請求項１２】
請求項１乃至請求項１１のいずれか一項に記載の印刷装置であって、
前記レバーの重心は、前記レバーが自重により前記第１の装置側係止部が前記所定の係止位置に移動する位置に設けられている、印刷装置。
【請求項１３】
請求項１乃至請求項１２のいずれか一項に記載の印刷装置であって、
前記レバーは、さらに、前記回転軸を形成する一対の軸部を有し、
前記一対の軸部のうち、一方は前記＋Ｙ軸方向側の外表面から突出する突起であり、他方は前記−Ｙ軸方向側の外表面から突出する突起である、印刷装置。
【請求項１４】
請求項１３に記載の印刷装置であって、
前記一対の軸部は、
前記Ｘ軸と前記Ｚ軸に平行な断面において前記回転軸を中心とした第１の円弧を形成する第１の曲面と、
前記Ｘ軸と前記Ｚ軸に平行な断面において、前記回転軸を中心とし、前記第１の円弧よりも半径が大きい第２の円弧を形成する第２の曲面と、を有し、
前記第１の曲面は、前記第２の曲面よりも前記−Ｘ軸方向側に位置する、印刷装置。
【請求項１５】
請求項１乃至請求項１４のいずれか一項に記載の印刷装置であって、さらに、
前記第２の装置側側壁部に設けられた第２の装置側規制部を有し、
前記第２の装置側規制部は、前記カートリッジの前記第４面に設けられた第２のカートリッジ側規制部を係止することで、前記カートリッジの前記＋Ｚ軸方向への動きを規制する、印刷装置。
【請求項１６】
請求項１５に記載の印刷装置であって、
前記第２の装置側規制部は、前記カートリッジの前記第４面に設けられた突起である第２のカートリッジ側規制部を受け入れる凹部、又は、貫通孔である、印刷装置。
【請求項１７】
請求項１乃至請求項１６のいずれか一項に記載の印刷装置であって、
前記装置側底壁部のうち、前記印刷材供給管よりも前記第１の装置側側壁部側に設けられた第３の装置側規制部を有し、
前記第３の装置側規制部は突起部であり、
前記突起部は、前記装着状態において、前記カートリッジの傾斜面と前記第１面とを接続する段差面から前記＋Ｘ軸方向に突出する一対の突出部材の間に位置することで、前記カートリッジの前記Ｙ軸方向の動きを規制する、印刷装置。
【請求項１８】
印刷材供給システムであって、
請求項１乃至請求項１７のいずれか一項に記載の印刷装置と、
カートリッジと、を備え、
前記カートリッジは、
前記Ｚ軸方向において対向する２つの面であって、−Ｚ軸方向側に位置する第１面及び＋Ｚ軸方向側に位置する第２面と、
前記Ｘ軸方向において対向する２つの面であって、＋Ｘ軸方向側に位置する第３面及び−Ｘ軸方向側に位置する第４面と、
前記Ｙ軸方向において対向する２つの面であって、−Ｙ軸方向側に位置する第５面及び＋Ｙ軸方向側に位置する第６面と、
前記第１面と第３面とを繋ぐカートリッジ側コーナー部と、
前記第１面に設けられ、印刷材を前記印刷装置に供給するための印刷材供給口と、
前記第３面に設けられた第１のカートリッジ側規制部と、
前記カートリッジ側コーナー部の一部を構成し、前記＋Ｘ軸方向と前記−Ｚ軸方向の成分を含む方向を向いて傾斜する傾斜面と、
前記傾斜面に設けられ、複数の端子を有するカートリッジ側端子群と、
を備える、印刷材供給システム。
【手続補正２】
【補正対象書類名】明細書
【補正対象項目名】００１０
【補正方法】変更
【補正の内容】
【００１０】
本発明は、上述の課題の少なくとも一部を解決するためになされたものであり、以下の形態または適用例として実現することが可能である。
［形態１］
互いに直交する３つの空間軸をＸ軸，Ｙ軸，Ｚ軸とするとき、
前記Ｚ軸方向において対向する２つの面であって、−Ｚ軸方向側に位置する第１面及び＋Ｚ軸方向側に位置する第２面と、
前記Ｘ軸方向において対向する２つの面であって、＋Ｘ軸方向側に位置する第３面及び−Ｘ軸方向側に位置する第４面と、
前記Ｙ軸方向において対向する２つの面であって、−Ｙ軸方向側に位置する第５面及び＋Ｙ軸方向側に位置する第６面と、
前記第１面と第３面とを繋ぐカートリッジ側コーナー部と、
前記第１面に設けられ、印刷材を前記印刷装置に供給するための印刷材供給口と、
前記第３面に設けられ、前記Ｙ軸に沿って延びる第１の部分と、前記第１の部分から前記＋Ｚ軸方向に延びる第２の部分と、を備えた第１のカートリッジ側規制部と、
前記カートリッジ側コーナー部の一部を構成し、前記＋Ｘ軸方向と前記−Ｚ軸方向の成分を含む方向を向いて傾斜する傾斜面と、
前記傾斜面に設けられ、複数の端子を有するカートリッジ側端子群と、
を備えるカートリッジを、着脱可能に装着する印刷装置であって、
前記カートリッジが装着された装着状態において、前記印刷装置に対する前記Ｘ軸、前記Ｙ軸および前記Ｚ軸を、それぞれ前記印刷装置のＸ軸、Ｙ軸、Ｚ軸とするとき、
（ｉ）前記装着状態において前記第１面と対向する装置側底壁部と、（ｉｉ）前記装着状態において前記第３面と対向する第１の装置側側壁部と、（ｉｉｉ）前記装着状態において前記第４面と対向する第２の装置側側壁部と、を備えるカートリッジ装着部と、
前記装置側底壁部に設けられた基端部と、前記印刷材供給口に接続される先端部とを有し、前記Ｚ軸と平行な中心軸を有する印刷材供給管と、
前記装置側底壁部と前記第１の装置側側壁部とが交差する装置側コーナー部に設けられ、前記装着状態において、前記カートリッジ側端子群の各端子に接触する複数の装置側端子を有し、前記装着状態において、前記カートリッジに対して前記＋Ｚ軸方向成分を有する方向に力を作用させる装置側端子群と、
前記第１の装置側側壁部に回動可能に設けられ、前記カートリッジの着脱に利用されるレバーと、を備え、
前記レバーは、
前記＋Ｚ軸方向側の端部に位置し、利用者によって外力が加えられるための操作部と、
前記−Ｚ軸方向側の端部に位置する第１の装置側係止部と、
前記＋Ｚ軸方向側の端部から前記−Ｚ軸方向側の端部に亘って形成され、前記カートリッジを前記カートリッジ装着部に装着する際に前記カートリッジの前記Ｘ軸方向及び前記Ｙ軸方向の動きを制限して、前記第１のカートリッジ側規制部を前記第１の装置側係止部まで導く案内部と、
前記案内部に前記−Ｚ軸方向側の端部に亘って形成され、前記カートリッジを装着する際に前記第２の部分を受け入れるための溝部と、を有し、
前記第１の装置側係止部は、前記装着状態において、前記カートリッジの前記第１のカートリッジ側規制部を係止することで前記カートリッジの前記＋Ｚ軸方向への動きを規制し、
前記レバーは、さらに、前記操作部と前記第１の装置側係止部との間の位置に回転軸を有し、前記回転軸は、前記装着状態において、前記第１の装置側係止部が前記第１のカートリッジ側規制部の前記第１の部分を係止する所定の係止位置よりも前記＋Ｚ軸方向側かつ前記＋Ｘ軸方向側に位置し、
前記レバーは、前記操作部に対し前記＋Ｘ軸方向側から前記−Ｘ軸方向側へ向かう外力が加えられることで、前記回転軸を中心として前記第１の装置側係止部を前記所定の係止位置から前記＋Ｘ軸方向側に移動させ前記第１のカートリッジ側規制部の前記第１の部分との係止を外し、前記カートリッジの動きの規制を解除する、印刷装置。
この形態によれば、装着状態において、第１のカートリッジ側規制部が前記レバーに対し、回転軸を中心として係止が外れる方向とは反対側の方向に回動するように外力を加える。これにより、第１のカートリッジ側規制部と前記第１の装置側係止部との係止が外れる可能性を低減できる。よって、カートリッジ端子群と装置側端子群との電気的な接続を安定して図ることができる。また、案内部によってカートリッジのＸ軸方向及びＹ軸方向の動きを制限できるため、容易にカートリッジを設計された正しい装着位置に装着できる。
【手続補正３】
【補正対象書類名】明細書
【補正対象項目名】００１１
【補正方法】変更
【補正の内容】
【００１１】
［適用例１］互いに直交する３つの空間軸をＸ軸，Ｙ軸，Ｚ軸とするとき、
前記Ｚ軸方向において対向する２つの面であって、−Ｚ軸方向側に位置する第１面及び＋Ｚ軸方向側に位置する第２面と、
前記Ｘ軸方向において対向する２つの面であって、＋Ｘ軸方向側に位置する第３面及び−Ｘ軸方向側に位置する第４面と、
前記Ｙ軸方向において対向する２つの面であって、−Ｙ軸方向側に位置する第５面及び＋Ｙ軸方向側に位置する第６面と、
前記第１面と第３面とを繋ぐカートリッジ側コーナー部と、
前記第１面に設けられ、印刷材を前記印刷装置に供給するための印刷材供給口と、
前記第３面に設けられた第１のカートリッジ側規制部と、
前記カートリッジ側コーナー部の一部を構成し、前記＋Ｘ軸方向と前記−Ｚ軸方向の成分を含む方向を向いて傾斜する傾斜面と、
前記傾斜面に設けられ、複数の端子を有するカートリッジ側端子群と、
を備えるカートリッジを、着脱可能に装着する印刷装置であって、
前記カートリッジが装着された装着状態において、前記印刷装置に対する前記Ｘ軸、前記Ｙ軸および前記Ｚ軸を、それぞれ前記印刷装置のＸ軸、Ｙ軸、Ｚ軸とするとき、
（ｉ）前記装着状態において前記第１面と対向する装置側底壁部と、（ｉｉ）前記装着状態において前記第３面と対向する第１の装置側側壁部と、（ｉｉｉ）前記装着状態において前記第４面と対向する第２の装置側側壁部と、を備えるカートリッジ装着部と、
前記装置側底壁部に設けられた基端部と、前記印刷材供給口に接続される先端部とを有し、前記Ｚ軸と平行な中心軸を有する印刷材供給管と、
前記装置側底壁部と前記第１の装置側側壁部とが交差する装置側コーナー部に設けられ、前記装着状態において、前記カートリッジ側端子群の各端子に接触する複数の装置側端子を有し、前記装着状態において、前記カートリッジに対して前記＋Ｚ軸方向成分を有する方向に力を作用させる装置側端子群と、
前記第１の装置側側壁部に回動可能に設けられ、前記カートリッジの着脱に利用されるレバーと、を備え、
前記レバーは、
前記＋Ｚ軸方向側の端部に位置し、利用者によって外力が加えられるための操作部と、
前記−Ｚ軸方向側の端部に位置する第１の装置側係止部と、を有し、
前記第１の装置側係止部は、前記装着状態において、前記カートリッジの前記第１のカートリッジ側規制部を係止することで前記カートリッジの前記＋Ｚ軸方向への動きを規制し、
前記レバーは、さらに、前記操作部と前記第１の装置側係止部との間の位置に回転軸を有し、前記回転軸は、前記装着状態において、前記第１の装置側係止部が前記第１のカートリッジ側規制部を係止する所定の係止位置よりも前記＋Ｚ軸方向側かつ前記＋Ｘ軸方向側に位置し、
前記レバーは、前記操作部に対し前記＋Ｘ軸方向側から前記−Ｘ軸方向側へ向かう外力が加えられることで、前記回転軸を中心として前記第１の装置側係止部を前記所定の係止位置から前記＋Ｘ軸方向側に移動させ前記第１のカートリッジ側規制部との係止を外し、前記カートリッジの動きの規制を解除する、印刷装置。
【手続補正４】
【補正対象書類名】明細書
【補正対象項目名】００１８
【補正方法】変更
【補正の内容】
【００１８】
［適用例７］適用例６に記載の印刷装置であって、
前記一対の案内壁部のうちの一方は、前記案内底壁面のうちの前記−Ｙ軸方向側の端部に設けられ、
前記一対の案内壁部のうちの他方は、前記案内底壁面のうちの前記＋Ｙ軸方向側の端部に設けられ、
前記案内部は、前記案内底壁面と前記一対の案内壁部により、前記第１のカートリッジ側規制部を受け入れる凹部を形成する、印刷装置。
適用例７に記載の印刷装置によれば、案内底壁面と一対の案内壁部によって、第１のカートリッジ側規制部を受け入れて第１の装置側係止部まで案内するための凹形状の案内部を容易に形成できる。
【手続補正５】
【補正対象書類名】明細書
【補正対象項目名】００２７
【補正方法】変更
【補正の内容】
【００２７】
［適用例１６］適用例１乃至適用例１５のいずれか一つに記載の印刷装置であって、さらに、
前記第２の装置側側壁部に設けられた第２の装置側規制部を有し、
前記第２の装置側規制部は、前記カートリッジの前記第４面に設けられた第２のカートリッジ側規制部を係止することで、前記カートリッジの前記＋Ｚ軸方向への動きを規制する、印刷装置。
適用例１６に記載の印刷装置によれば、さらに、第２の装置側側壁部にカートリッジの＋Ｚ軸方向への動きを規制する第２のカートリッジ側規制部を有することで、カートリッジのＸ軸方向の両側から＋Ｚ軸方向への動きを規制できる。これにより、カートリッジ側端子群の各端子のカートリッジ装着部に対する位置ずれをさらに抑制できる。よって、カートリッジ側端子群と装置側端子群との電気的な接続をさらに安定して図ることができる。
【手続補正６】
【補正対象書類名】明細書
【補正対象項目名】０１８９
【補正方法】変更
【補正の内容】
【０１８９】
Ａ−７−５．第２のカートリッジ側規制部２２０に関する効果
また、カートリッジ２０は、第４面２０４に第２のカートリッジ側規制部２２０を有する（図２７）。これにより、カートリッジ２０のＸ軸方向の両側から＋Ｚ軸方向への動きを規制でできる。これにより、カートリッジ側端子群４００と装置側端子群７００との電気的な接続をさらに安定して図ることができる。
【手続補正７】
【補正対象書類名】明細書
【補正対象項目名】０２０２
【補正方法】変更
【補正の内容】
【０２０２】
また、本実施形態では、プリンター５０の第２の装置側側壁部６０４は、第２のカートリッジ側規制部２２０を係止することでカートリッジ２０の＋Ｚ軸方向への動きを規制する第２の装置側規制部６２０を有する。これにより、カートリッジ２０のＸ軸方向の両側から＋Ｚ軸方向への動きを規制できる。これにより、カートリッジ側端子群４００の各端子のカートリッジ装着部６０に対する位置ずれをさらに抑制でき、カートリッジ端子群４００と装置側端子群７００との電気的な接続をさらに安定して図ることができる。また、第２の装置側規制部６２０が凹部又は貫通孔によって形成されることで、突起である第２のカートリッジ側規制部２２０を受け入れる第２の装置側規制部６２０を容易に形成できる。